(57)【要約】  埋め込みトレース静電容量式シグネットについて記載される。埋め込みトレース静電容量式シグネットは、スマートフォンなどのコンピューティングデバイスのタッチスクリーンとのインターアクションを通じて認証と検証を提供する。埋め込みトレース静電容量式シグネットは、カードなどの基板と、前記基板に取付された複数の導電性円状点と、ユーザーが導電性円状点に静電容量を提供できるユーザー導電性領域と、各円状点を前記ユーザー導電性領域に接続する細いトレースとを有する。円状点を異なる位置に配置することにより、ソフトウェアベースのアプリケーションを開始するためにコンピューティングデバイスのタッチスクリーンで検出できる一意のカードが生成できる。  【選択図】      図５
2020526823.tif 000002
【特許請求の範囲】
【請求項１】
埋め込みトレース静電容量式シグネットであって、
基板と、
前記基板に付着された複数の導電性点と、
ユーザーが前記導電性点へ静電容量を提供することを可能にするユーザー接触領域と、
各導電性点を前記ユーザー接触領域に接続する導電層と、
を有する、埋め込みトレース静電容量式シグネット。
【請求項２】
請求項１記載の埋め込みトレース静電容量式シグネットにおいて、前記導電性点は前記基板の外表面に付着されるものである、埋め込みトレース静電容量式シグネット。
【請求項３】
請求項１記載の埋め込みトレース静電容量式シグネットにおいて、前記導電性点は前記基板の開口部を通して付着されるものである、埋め込みトレース静電容量式シグネット。
【請求項４】
請求項１記載の埋め込みトレース静電容量式シグネットにおいて、さらに前記導電性点と前記基板を覆う底層を有するものである、埋め込みトレース静電容量式シグネット。
【請求項５】
請求項１記載の埋め込みトレース静電容量式シグネットにおいて、前記底層はグラフィックを有するものである、埋め込みトレース静電容量式シグネット。
【請求項６】
請求項１記載の埋め込みトレース静電容量式シグネットにおいて、前記基板は長方形である、埋め込みトレース静電容量式シグネット。
【請求項７】
請求項１記載の埋め込みトレース静電容量式シグネットにおいて、前記ユーザー接触領域は前記基板の側面に沿って配置されるものである、埋め込みトレース静電容量式シグネット。
【請求項８】
請求項１記載の埋め込みトレース静電容量式シグネットにおいて、前記導電層は、前記導電性点及び前記ユーザー接触領域と電気接触する導電性材料の平面シートである、埋め込みトレース静電容量式シグネット。
【請求項９】
請求項１記載の埋め込みトレース静電容量式シグネットにおいて、前記導電層は、前記導電性点及び前記ユーザー接触領域と電気接触する導電性トレースを有するものである、埋め込みトレース静電容量式シグネット。
【請求項１０】
埋め込みトレース静電容量式シグネットスタンプであって、
基板と、
前記基板に付着された複数の導電性点と、
ユーザーが前記導電性点へ静電容量を提供することを可能にするユーザー接触領域と、
各導電性点を前記ユーザー接触領域に接続する導電層と、
前記導電層を覆う上層であって、この上層は主領域と打ち抜き領域を有し、前記打ち抜き領域は折り曲げ可能に前記主領域に接続して、折り畳み式ハンドルを形成する、上層と、
を有し、
前記導電層は、主領域と打ち抜き領域を有し、前記導電層の打ち抜き領域は、前記ユーザー接触領域であり、さらに、前記導電層の前記主領域に折り曲げ可能に接続されて、前記上層によって形成される前記折り畳み式ハンドルと整列し、それにより、前記ユーザー接触領域を持つ折り畳み式ハンドルを形成して、ユーザーが前記折り畳み式ハンドルを握ったときに、ユーザーが前記導電性点に静電容量を提供できるようにするものである、埋め込みトレース静電容量式シグネットスタンプ。
【請求項１１】
請求項１０記載の埋め込みトレース静電容量式シグネットスタンプにおいて、
前記折り畳み式ハンドルは、半円形である、埋め込みトレース静電容量式シグネットスタンプ。
【請求項１２】
請求項１０記載の埋め込みトレース静電容量式シグネットスタンプにおいて、
前記折り畳み式ハンドルは、さらに開閉を容易にする指スロットを有するものである、埋め込みトレース静電容量式シグネットスタンプ。
【請求項１３】
請求項１０記載の埋め込みトレース静電容量式シグネットスタンプにおいて、
前記導電性点は、前記基板の外表面に付着されるものである、埋め込みトレース静電容量式シグネットスタンプ。
【請求項１４】
請求項１０記載の埋め込みトレース静電容量式シグネットスタンプにおいて、
前記導電性点は、前記基板の開口部を通して付着されるものである、埋め込みトレース静電容量式シグネットスタンプ。
【請求項１５】
請求項１記載の埋め込みトレース静電容量式シグネットスタンプにおいて、さらに前記導電性点と前記基板を覆う底層を有するものである、埋め込みトレース静電容量式シグネットスタンプ。
【請求項１６】
請求項１０記載の埋め込みトレース静電容量式シグネットスタンプにおいて、前記底層はグラフィックを有するものである、埋め込みトレース静電容量式シグネットスタンプ。
【請求項１７】
請求項１０記載の埋め込みトレース静電容量式シグネットスタンプにおいて、前記上層はグラフィックを有するものである、埋め込みトレース静電容量式シグネットスタンプ。
【請求項１８】
請求項１０記載の埋め込みトレース静電容量式シグネットスタンプにおいて、前記基板は、長方形である、埋め込みトレース静電容量式シグネットスタンプ。
【請求項１９】
請求項１０記載の埋め込みトレース静電容量式シグネットスタンプにおいて、前記折り畳み式ハンドルは、前記上層に第１の打ち抜き領域と、前記上層に第２の打ち抜き領域を有するものである、埋め込みトレース静電容量式シグネットスタンプ。
【請求項２０】
請求項１９記載の埋め込みトレース静電容量式シグネットスタンプにおいて、前記上層の前記第１の打ち抜き領域と前記上層の前記第２の打ち抜き領域は、通常、同じ形状を有し、各打ち抜き領域が前記上方に折り曲げられた時に前記第１の打ち抜き領域と前記第２の打ち抜き領域の整列を有する折り畳み式ハンドルの形成を可能にするものである、埋め込みトレース静電容量式シグネットスタンプ。
【発明の詳細な説明】
【技術分野】
【０００１】
（関連出願情報）
本出願は、２０１７年６月３０日に出願された米国特許出願第６２／５２７，１５１号、発明の名称「埋め込みトレース静電容量式シグネット」の優先権を主張するものである。
【０００２】
本発明は、一般に、認証および検証に関し、より具体的には、埋め込みトレース静電容量式シグネットスタンプに関する。
【背景技術】
【０００３】
さまざまな目的の検証と認証は、一般に、スタンプ、パンチカード、ポイントカード、磁気ストライプカード、ＲＦＩＤカードなどによって行われている。検証および認証は、娯楽イベントなどのイベントへの参加の支払い目的、身分証明およびセキュリティなどのために使用可能である。検証と認証の最も基本的な形式は、紙のチケット、紙のパンチカードなどの印刷用紙である。技術が進歩し、偽造防止の必要性が高まるにつれて、磁気エンコードストリップ、無線周波数識別要素、バーコード、Ｑコード、その他の要素が、カード、チケット、または同様の検証または認証デバイスに埋め込まれるか、あるいは統合されることが多いため、一般的になってきている。
【０００４】
スマートフォンや同様のデバイスなどの電子デバイスの増加につれて、認証、検証、および関連する目的で使用されるカード、チケット、紙、プラスチックの品目の数が減少する傾向にある。多くの場合、このような認証と検証は完全に電子デバイスで実行できるが、追加のカード、チケット、スタンプなどを使用した外部の認証と検証の必要性が依然として残っている。そのような認証と検証は、電子デバイスの所有者、または認証者または検証者としての別の個人またはエンティティによって実行できる。
【０００５】
電子デバイスは一般に、容量性タッチスクリーンなどのタッチスクリーンで構成されている。認証または検証品目をタッチスクリーンおよび電子デバイスの基盤となるソフトウェアアプリケーションと、または電子デバイスを介してネットワークまたはネットワークベースのコンピューティング要素に統合する能力により、認証、検証、セキュリティ、支払い処理、およびトランザクションビジネスの試みにおいて膨大な可能性が開かれている。本明細書に記載および想定される本発明および様々な実施形態は、これまで満たされていない必要性に対処するものである。
【発明の概要】
【課題を解決するための手段】
【０００６】
本発明はカードまたは同様の基板を含む埋め込みトレース静電容量式シグネットスタンプを提供するものであるが、このカードまたは同様の基板は、ユーザが接触して、前記埋め込みトレース静電容量式シグネットに必要な静電容量を提供する導電性領域に接続された導電性トレースまたは材料を有する円または点の導電性パターンを有し、スマートフォンなどのコンピューティングデバイスのタッチスクリーンをアクティベート及びこれとインターアクトするものである。本明細書でさらに説明するように、ハンドルまたは類似の構成を前記デバイスに組み込んで、ユーザーが前記デバイスの導電性領域をより簡単に把持し、電子スタンプを作成することを可能にする。前記導電性領域を備えたハンドルまたは同様の構造は、平らに折りたたむことができ、これにより、保管が容易になり、デバイスの携帯が容易になる。
【０００７】
前述の段落は、前置きとして提供されたものであり、本明細書、特許請求の範囲、および添付の図面によって説明される本発明の範囲を限定することを意図したものではない。
【図面の簡単な説明】
【０００８】
本発明は、以下の図面を参照することにより説明され、図面において、同様の符号は同様の要素を指す。
【図１】図１は、埋め込みトレース静電容量式シグネットの平面図を示す。
【図２】図２は、埋め込みトレース静電容量式シグネットの代替実施形態の平面図を示す。
【図３】図３は、図１の埋め込みトレース静電容量式シグネットの側面図を示す。
【図４】図４は、図２の埋め込みトレース静電容量式シグネットの側面図を示す。
【図５】図５は、スタンプとして構成された埋め込みトレース静電容量式シグネットの分解図を示
【図６】図６は、保管位置における、スタンプとして構成された埋め込みトレース静電容量式シグネットを示す。
【図７】図７は、使用位置における、スタンプとして構成された埋め込みトレース静電容量式シグネットを示す。
【図８】図８は、埋め込みトレース静電容量式シグネットのさらなる実施形態を示す。
【図９】図９は、図８の埋め込みトレース静電容量式シグネットの平面図である。
【図１０】図１０は、図８の埋め込みトレース静電容量式シグネットの斜視図である。
【０００９】
本発明は好ましい実施形態に関連して説明されるが、本発明を説明した実施形態に限定されるものではないことが理解されるであろう。その代わりに、本明細書、特許請求の範囲および添付の図面によって定義される本発明の精神および範囲内に含まれる可能性のあるすべての代替、修正、および同等物を網羅することが意図されているものである。
【発明を実施するための形態】
【００１０】
「スマートフォン」などの電子コンピューティングデバイスのタッチスクリーンと一意にインターアクトするデバイスが開示されている。前記デバイスは、財布または財布に入れて持ち運ぶことができるカードの形をとることができ、紙またはプラスチックカードなどの基板上に印刷、接着、加工、切断またはその他の方法で堆積される埋め込み導電性トレースを含む。導電性トレースは、パターンがデバイスのタッチスクリーンに接触したときに電子デバイスによって認識される一意のパターンで基板に印刷される導電性インクなどの導電性材料から作られてもよいが、これに限定されない。一意の導電性トレースパターンが認識されると、電子デバイスのソフトウェアがアクティベートされる。ソフトウェアには、セキュリティソフトウェア、アプリのアクティブ化、ビデオ、店舗割引、スポーツ統計、イベントやコンサートでの景品、ゲーム、コンサートまたはイベントへの入場、地下鉄、バス、電車などの交通機関の入場と発券、サブスクリプションおよびギフトサービス、デジタルポイントカード、接待、おもちゃ、ゲーム、教育などを含む。デバイスは、例えば、食品または飲料の箱に組み込まれた平坦なスタンプなど、製品のパッケージおよびディスプレイと統合することもできる。
【００１１】
ユーザー接触領域または構造は、ハンドルまたは同様の構造を含む導電性パッドの形態であってもよい。ハンドルは、本発明のいくつかの実施形態では折り畳み可能であってもよく、さらに、ハンドルを補強し、本発明のデバイスが電子スタンプとして機能するのに必要な剛性を提供するのに役立つ導電性材料および基板またはバッキングの両方をさらに含んでもよい。本明細書でさらに説明されるように、ハンドルは、保管を容易にするために平らに折り畳まれてもよい。
【００１２】
モバーグらの米国特許第９，１５２，２７９号、発明の名称「トランザクションを認証するためのツールと方法」および、モバーグらの米国特許９，２９８，９０７、発明の名称「リアルタイムデジタルオブジェクトとタンジブルオブジェクトインタラクションを可能にする方法」の両方が、国または地域の法律で許可されているように、参照によりその全体が本明細書に組み込まれる。
【００１３】
図１は、本発明による埋め込みトレース静電容量式シグネット１００の例を示す。カードなどの基板１０１は、その上に導電性パターンを有することが可能である。基板１０１は、厚紙または紙、プラスチック、ベラムなどから作られてもよい。図では露出した導電性パターンを示しているが、一部の実施形態では、導電性パターンを厚紙、紙、プラスチック、ベラムなどの材料の別の層内に埋め込んで、導電性パターンを保護し、見えないようにすることができる。接着剤などの保護技術を使用して、カードを破壊しなければ導電性トレースは露出できないように層を結合することができる。改ざんされた場合にカードがバラバラになるカット、スリット、またはその他のさまざまな機械的変更をデバイスに組み込んでもよい。
【００１４】
導電性トレースパターンは、人間の手の５本指のタッチを再現する、図１に示す５つの円または点などの導電性点１０３を有する。本発明のいくつかの実施形態では、５つ以上の円または点、または５つ未満の円または点があってもよい。さらに、本発明のいくつかの実施形態では、前記点は、例えば、八角形、正方形、三角形、長方形、六角形などの様々な形状のものであってもよい。導電性の円または点は、それぞれ導電性材料から作られ、それぞれ、ユーザーが接触するユーザー接触領域（導電性領域）１０７に戻る導電性トレース１０５を有する。接触または導電性領域１０７は、ユーザーが指または親指で導電性領域に容易に着地可能にする十分なサイズにする。デバイス（カード）が機能するために、ユーザーはこの領域１０７に接触して５つの円または点１０３に静電容量を提供する必要がある。  ユーザー接触領域１０７は、図１に示されるように、基板１０１の側面に沿って配置されてもよい。ユーザー接触領域１０７は、長方形または適合する幾何学的形状であってもよい。
【００１５】
本発明の一実施形態では、各円または点からユーザー接触領域（導電性領域）１０７までのトレース１０５はできるだけ薄くして、埋め込みトレース静電容量式シグネットがインターアクトするデバイスのタッチスクリーンが、これらを検出してトレース１０５を点またはサークル１０３と混乱しないようにする必要がある。本発明の別の実施形態では、図５に示すような導電層は、導電性点１０３とインターアクトする手段として使用され、導電性材料の平面シート、または本発明のいくつかの実施形態では、誘電性または絶縁性のシートまたは層上に導電性トレースまたは相互接続子を含むシートであってもよい。
【００１６】
導電性トレース１０５および円状点１０３は、基板１０１上に印刷、接着、製造、切断、または他の方法で堆積される。導電性トレース１０５および円状点１０３は、導電性インクなどの導電性材料が基板上に独自のパターンで印刷されて製造可能であるが、これに限定されるものではない。導電性点１０５は、基板の外面に固定されてもよく、この基板の外面は、使用中に電子デバイスのタッチスクリーンに接触する基板１０１の２つの平面の１つである。本発明のいくつかの実施形態では、導電性点１０５は、基板の開口部に取り付けられるが、この基板の開口部は、ダイ、レーザー、ブレードまたは切断ヘッドなどによって切断されるものである。
【００１７】
本発明のいくつかの実施形態では、底層は導電性点および基板を覆い、紙、プラスチック、コーティングなどから作られてもよい。底層は、導電性点と基板を保護するだけでなく、導電性点パターン（「シグネット」）を隠す役割も果たす。この底層には、グラフィック、文字なども含まれる場合がある。基板、および本発明のいくつかの実施形態では、底層カバーは、名刺、クレジットカードなどの幾何学的な外観に適合するように長方形であってもよい。他の形状、例えば、円形、正方形、六角形、八角形なども使用することができる。
【００１８】
図１に見られるように、円または点の１０３は、細いトレース１０５によって相互接続することができる。
【００１９】
円状点１０３は、異なる場所に配置されて、一意的なカードが作成される。ここで説明した基本技術で３００万を超える一意のパターンができることが推定される。さまざまな幾何学形状と構成、およびタッチスクリーンの検出と処理の変更により、さらに多数の一意のパターンが生成される。
【００２０】
図２は、トレース２０５が湾曲していても非線形であってもよい埋め込みトレース静電容量式シグネット２００の代替実施形態を示している。カードなどの基板２０１は、その上に導電性パターンを伴ってもよい。基板２０１は、厚紙または紙、プラスチック、ベラムなどから作られてもよい。図は露出した導電パターンを示しているが、いくつかの実施形態では、導電性パターンを厚紙、紙、ベラム、プラスチックなどの材料の別の層に埋め込んで、導電性パターンを保護し、見えないようにすることができる。接着剤などの保護技術を使用して、カードを破壊しなければ導電性トレースが露出できないように層を結合することができる。改ざんされた場合にカードがバラバラにするカット、スリット、またはその他のさまざまな機械的変更をデバイスに組み込んでもよい。  
導電性トレースパターンは、人間の５本指のタッチを再現する５つの円または点２０３を有する。本発明のいくつかの実施形態では、５つ以上の円または点、または５つ未満の円または点を有する場合もある。さらに、本発明のいくつかの実施形態では、点は、例えば、八角形、正方形、三角形、長方形、六角形などの様々な形状のものであってもよい。５つの円または点は、それぞれ導電性材料から作られており、ユーザーが接触する導電性領域２０７に戻る細いトレース２０５をそれぞれ有する。導電性領域２０７は、ユーザーが指または親指で導電性領域に簡単に着地できるようにするのに十分なサイズを有する。デバイス（カード）が機能するには、ユーザーは５つの円または点２０３に静電容量を提供するこの導電性領域２０７と接触している必要がある。各円または点からユーザー接触領域（導電性領域）２０７へのトレース２０５はできるだけ薄くする必要があり、これにより埋め込みトレース静電容量式シグネットがインターアクトするデバイスのタッチスクリーンがトレース２０５を検出して点または円２０３と混同しないようにする。  
円または点２０３は、細いトレース２０５によって相互接続することもできる。細いトレース２０５は、戻り導電性トレースの一部または全部が湾曲または非直線状であってもよい。
【００２１】
導電性トレース２０５および円状点２０３は、基板２０１上に印刷、接着、製作、切断、または他の方法で堆積される。導電性トレース２０５および円状点２０３は、これに限定されるものではないが、導電性インクなどの導電性材料で基板上に独自のパターンを印刷して作られてもよい。
【００２２】
円状点１０３は、異なる場所に配置されて、独特なカードが作成される。ここで説明した基本技術で３００万を超える独特なパターンができる推定される。さまざまな幾何学形状と構成、およびタッチスクリーンの検出と処理の変更により、さらに大きな数の独自パターンが生成される。
【００２３】
図３は、基板１０１の典型的な厚さを示す図１の埋め込みトレース静電容量式シグネット１００の側面図を示す。
【００２４】
図４は、基板２０１の典型的な厚さを再度示す図２の埋め込みトレース静電容量式シグネット２００の側面図を示す。
【００２５】
例えばカードに埋め込まれた埋め込みトレース静電容量式シグネットを使用するには、カードを電子機器のタッチスクリーンに近接または接触させて配置する。カードの容量性の円状点の独特なパターンは、ユーザーが持つと、タッチスクリーンによって検出され、アクティベートまたは、ソフトウェアアプリケーションをアクティブにする。本発明の埋め込みトレース静電容量式シグネットによるソフトウェアアプリケーションの起動も、本発明および本明細書で説明および想定される様々な実施形態の不可欠な部分とみなされる。
【００２６】
図５は、スタンプ５００として構成された埋め込みトレース静電容量式シグネットの分解図を示し、デバイスの主要なコンポーネントを示している。これまでに提供された開示および詳細に基づいて、スタンプベースのデバイスは、図５〜７に示されるように、新規の折り畳み式ハンドルおよび折り畳み式の導電性のユーザー接触領域を含む。基板５０３は、図示された埋め込み導電性点５０１などの導電領域のパターンを含む。埋め込まれた導電性点５０１は、ダイカット、パンチ、レーザーカット、機械カットなどが可能で、基板５０３の開口部を通して固定される。本発明のいくつかの実施形態では、導電性点５０１は、基板５０３の外面に固定される。基板５０３は、厚紙、紙、プラスチック、または複合材料から作られてもよく、形状が長方形であってもよい。金属箔または導電性ポリマーシートなどの１つまたは複数の導電層５０５は、導電点５０１を、図５では折り畳み式の導電性のユーザー接触領域５１３として示されるユーザー接触領域に接続するが、ユーザー接触領域５１３はユーザーが直接、または表示されている折り畳み式ハンドル５０９のような何らかの形式のハンドルを介して接続される。折り畳み式ハンドル５０９は、上層５０７から形成され、同じ一般的な形状を有し、上向きに折り曲げられたときに一対、または接合される２つの別個の要素として形成され得る。折り畳み式ハンドルは、上層５０７の２つの同様の打ち抜き領域から形成される。打ち抜き領域のそれぞれ、または２つの別個のハンドル要素は、それぞれ直線部分が折り曲げ可能に主要部に取り付けられるＤ形状を有する。各Ｄ形状の湾曲部分にノッチまたはスロットを付けて、各Ｄ形状要素を使用の位置に簡単に上方に折り曲げることができる指スロット５１５を使用することもできる。指スロット５１５は、これに限定されるものではないが例として図５により明確に示されるように、各Ｄ形状ハンドル要素の湾曲した半円形の切り取り領域として形成できる。導電層５０５も各Ｄ字形ハンドル要素と同様の幾何学形状に切断または形成されて、折り畳み式ハンドルの各側に折り畳み式の導電性ユーザー接触領域５１３を形成する。
【００２７】
本発明のいくつかの実施形態では、ハンドルは、異なる形状および構造で形成されてもよい。例えば、ハンドルは、キーチェーンまたはキーフォブ配列を備えてもよい。例えば、折り畳み式キーリングは、導電性ハンドルとして機能可能である。
【００２８】
薄い底層５１１を導電性領域の上に積層して、導電性パターンを視覚的に隠し、テキストおよびグラフィックスの印刷可能領域を提供することができる。底層５１１は、厚紙、紙、またはプラスチックフィルムまたはシートから作られてもよい。導電性領域は、導電性を有する埋め込み材料、または基板上に堆積または印刷された導電性材料の形態であり得る。導電領域は、導電点５０１を含む。基板５０３は、誘電層として機能し、デバイスの導電領域を絶縁し、導電層に触れるユーザによる干渉を防ぐ任意の材料で構成することができる。導電層５０５は、金属箔または導電性コーティングなど、電子電荷をユーザーから導電性領域に移動させることができる任意の材料で作ることができる。上層５０７は、厚紙、紙、またはプラスチックフィルムまたはシートから作られてもよい。上層５０７はまた、テキストまたはグラフィックスを含んでもよい。
【００２９】
上層の第１の打ち抜き領域と上層の第２の打ち抜き領域は、一般に同じ形状を有し、各打ち抜き領域が上方に折り曲げられた時に第１の打ち抜き領域と第２の打ち抜き領域の整列を含む折り畳み式ハンドルの形成を可能にする。導電層は、各Ｄ形ハンドル要素の形状と同様の形状に切断または形成され、ハンドルが使用位置で上方に折り曲げられたときに、折り畳み式ハンドルの各側に折り畳み式の導電性ユーザー接触領域を形成する。折り畳み式の導電性のユーザー接触領域は、折り畳み式ハンドルのＤ形状と同様にしてもよく、折り畳み式ハンドルの指スロットおよびＤ形状と整列する指スロットを組み込んでもよい。折り畳み式の導電性のユーザー接触領域５１３を構成する導電層５０５の部分は、折り畳み式ハンドル５０９に付着されるか、あるいは接着されてもよい。
【００３０】
図６は、保管位置にスタンプ５００として構成された埋め込みトレース静電容量式シグネットを示す。折り畳み式ハンドル５０９は折り曲げられておらず、上層５０７と平らになっている。半円形の指スロット５１５も見られる。折り畳み式ハンドル５０９はまだ折り曲げられたことがないため、各Ｄ形状のハンドル要素の直線部分に沿って明らかな折り目または折り目マークはない。
【００３１】
図６に示された埋め込みトレース静電容量式シグネットスタンプの全体的な形状は長方形であるが、いくつかの実施形態ではほぼ正方形であってもよい。正方形の埋め込みトレース静電容量式シグネットは、たとえばドリンクコースターとして補助的に使用可能であるし、広告やマーケティングの目的でグラフィックスやテキストを含むこともできる。
【００３２】
図７は、使用位置でスタンプとして構成された埋め込みトレース静電容量式シグネットを示す。折り畳み式の導電性ユーザー接触領域５１３を見ることができる。本発明のいくつかの実施形態では、第２の別個のハンドル要素に第２の折り畳み式の導電性ユーザー接触領域が使用されることに留意されたい。しかしながら、いくつかの実施形態では、単一の折り畳み式の導電性ユーザー接触領域が使用される。
【００３３】
折り畳み式の導電性ユーザー接触領域は、折り畳み式ハンドルに接着されており、両方の別個のハンドル要素には、折り畳み式の導電性ユーザー接触領域が接着されているのが図示される。
【００３４】
図８は、折り畳み式ハンドルが存在しない埋め込みトレース静電容量式シグネット８００のさらなる実施形態を示す。導電性点８０１は、基板８０３の外面に付着されるか、または取り付けられるか、または基板８０３の開口部を通して取り付け可能である。導電性点８０１は、人間の手の指のタッチを再現する円または点を含み得る。本発明のいくつかの実施形態では、５つ以上の円または点、または５つ未満の円または点があってもよい。さらに、本発明のいくつかの実施形態では、点は、例えば、八角形、正方形、三角形、長方形、六角形などの様々な形状のものであってもよい。導電性の円または点は、それぞれ導電性材料から作られており、導電性トレースを含むことができる導電層８０５によって電気的に結合されている。ユーザー接触領域は、図８に示される埋め込みトレース静電容量式シグネット８００に含まれてもよく、または導電点８０１に付着する、または電気接触する外部デバイスに含まれてもよい。これに関するユーザー接触領域は、埋め込みトレース静電容量式シグネット８００を把持するホルダーまたはリテーナであり、導電層８０５を貫通するか、または係合してもよい。
【００３５】
導電層８０５は、導電点８０１を電気的に結合するために同様に使用される。上層８０７はまた、底層８１１とともに図示される。上層８０７は、厚紙、紙、またはプラスチックフィルムまたはシートから作製可能である。上層５０７はまた、テキストまたはグラフィックスを含んでもよい。
【００３６】
導電性点８０１によって形成された導電性領域は、タッチスクリーンデバイスによって検出され、その後、トランザクションを検証するためにソフトウェアでデコードされ得る一意のパターンを表す。
【００３７】
薄い底層８１１を導電性領域上に積層して、導電性パターンを視覚的に隠し、テキストおよびグラフィックスの印刷可能領域を提供することができる。底層５１１は、厚紙、紙、またはプラスチックフィルムまたはシートから作られてもよい。底層８１１はまた、テキストまたはグラフィックスを含んでもよい。
【００３８】
導電性領域は、導電性を有する埋め込み材料、または基板上に堆積または印刷された導電性材料の形態であり得る。導電性領域は、導電性点８０１を含む。基板８０３は、デバイスの導電性領域を絶縁し、導電層に触れるユーザーによる干渉を防ぐ誘電体層として機能する任意の材料で構成できる。導電層８０５は、金属箔または導電性コーティングなど、ユーザーから導電性領域に電子電荷を移動させることができる任意の材料で作ることができる。
【００３９】
図９は、図８の埋め込みトレース静電容量式シグネットの平面図を示す。分かりやすくするために、底層は示されていない。導電性領域は、基板８０３の中心には配置せず、ユーザーがデバイスの反対側のタッチスクリーンを接触しながら、デバイスの一端を保持できるようにする。次に、ユーザーの電荷は、基板８０３に積層または接着された導電層８０５（図８を参照）と共に、デバイスの上層８０７（図８を参照）を介して、導電パターンへ、また静電容量方式のタッチスクリーンと接触するように配置できる薄い底部５１１（図５を参照）を介して移動する。
【００４０】
最後に、図１０は、図８の埋め込みトレース静電容量式シグネットの斜視図を示す。図８〜１０に示す実施形態は、操作するハンドルを必要とせず、名刺や飲料コースターなどの平坦な製品に組み込むことができる。グラフィックとテキストは、デバイスの機能に影響を与えることなく、外側の層に印刷可能である。
【００４１】
埋め込みトレース静電容量式シグネットスタンプを使用するには、デバイスを電子デバイスのタッチスクリーンに近接または接触させる。カードの導電性点の一意のパターンは、ユーザーが保持すると、タッチスクリーンによって検出され、ソフトウェアアプリケーションをアクティブにする。ユーザーは、導電性ユーザー接触領域（例えば、折り畳み式ハンドルに含まれる）によって埋め込みトレース静電容量式シグネットスタンプをつかみ、ユーザーの静電容量が、埋め込みトレース静電容量式シグネットスタンプに埋め込まれるか、または含まれる導電性点に移動するようにする。導電性点の一意のパターンは、ソフトウェアアプリケーションのアクティベーションのための電子署名を提供する。本発明の埋め込みトレース静電容量式シグネットスタンプによるソフトウェアアプリケーションの起動も、本発明および本明細書に記載および想定される様々な実施形態の不可欠な部分とみなされる。
【００４２】
したがって、本発明のさまざまな目的に従って、埋め込みトレース静電容量式シグネットスタンプが提供されたことは明らかである。
【００４３】
本発明の様々な目的をその好ましい実施形態に関連して説明したが、多くの代替、修正、および変形が当業者に明らかであることは明らかである。したがって、本明細書、特許請求の範囲、および本明細書に添付される図面の精神および広い範囲内にあるそのようなすべての代替、修正、および変形を包含することが意図されている。
【図１】
2020526823.tif 000003
【図２】
2020526823.tif 000004
【図３】
2020526823.tif 000005
【図４】
2020526823.tif 000006
【図５】
2020526823.tif 000007
【図６】
2020526823.tif 000008
【図７】
2020526823.tif 000009
【図８】
2020526823.tif 000010
【図９】
2020526823.tif 000011
【図１０】
2020526823.tif 000012
【国際調査報告】
2020526823.tif 000013